【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
交流電力供給を出力するよう適合される電子安定器を照明装置に結合するためのインターフェース回路であり、
前記電子安定器に接続可能な入力端子と、
前記照明装置に接続可能な出力端子と、
前記入力端子と前記出力端子との間の結合構成を制御可能に調節するよう適合されるシャント装置と、
前記照明装置を流れる電流を検出し、前記シャント装置のシャント継続時間を制御することによって前記照明装置を流れる前記電流を調整するよう適合される電流フィードバックループとを有するインターフェース回路であって、前記インターフェース回路が、
前記入力端子において受け取られる前記交流電力供給の周波数を検出するよう適合される検出装置と、
検出される前記周波数に基づいて、前記出力端子に供給される前記交流電力供給のデューティサイクル、又は前記電子安定器を短絡させないデューティサイクルを制御するように、前記検出される周波数に基づいて、前記交流電力供給の各サイクル中の前記シャント装置の前記シャント継続時間の長さを制御するよう適合される制御装置とを更に有し、
前記電流フィードバック制御ループが、前記検出される周波数に基づいて前記シャント継続時間の長さを制御するものとは異なるインターフェース回路。
【請求項２】
前記電子安定器が、蛍光灯用の安定器であり、
前記インターフェース回路が、調光器から前記照明装置の所望の照明レベルを取得するよう適合される調光回路を更に有し、
前記制御装置が、更に、前記交流電力供給の各サイクル中に、前記所望の照明レベルに基づいて前記シャント装置の前記結合構成を制御するよう適合される請求項１に記載のインターフェース回路。
【請求項３】
前記所望の照明レベルが、前記照明装置の減光レベルを含み、
前記制御装置が、特定の所望の照明レベルに対して、前記入力端子において受け取られる前記交流電力供給の異なる周波数に対して、前記デューティサイクルを実質的に一定に維持するよう適合され、
前記電流制御ループが、前記照明装置を流れる前記電流が前記減光レベルに対して大きすぎる場合に、前記照明装置を流れる前記電流を減らすように前記シャント継続時間を増加させるよう適合され、
前記制御装置が、前記検出される周波数に基づいて前記シャント継続時間の長さを制御するための応答時間であって、前記交流電力供給の前記異なる周波数の変化の速度に匹敵する応答時間を有し、前記電流フィードバック制御ループが、前記交流電力供給の前記異なる周波数の前記変化の速度と比較して実質的により遅い応答時間を有する請求項２に記載のインターフェース回路。
【請求項４】
前記検出装置が、前記交流電力供給の前記周波数に対応する信号を出力するよう適合される制御コンデンサを有する請求項１乃至３のいずれか一項に記載のインターフェース回路。
【請求項５】
前記検出装置が、前記交流電力供給に基づく方形波であって、前記交流電力供給と同じ周波数を持つ方形波を生成するよう適合される方形波発生器を更に有し、前記方形波が前記制御コンデンサに供給される請求項４に記載のインターフェース回路。
【請求項６】
前記検出装置が、
前記出力端子に供給される前記交流電力供給の前記デューティサイクル、又は前記電子安定器を短絡させない前記デューティサイクルを検出するよう適合される検出回路と、
現在のデューティサイクルと前のデューティサイクルとを比較し、前記現在のデューティサイクルが前記前のデューティサイクルから或る特定の割合だけずれているが、その一方で、前記調光回路において前記照明レベルが変えられていない場合には、制御信号を出力するよう適合される比較回路とを有する請求項２に記載のインターフェース回路。
【請求項７】
前記制御装置が、
タイミングコンデンサであって、前記タイミングコンデンサの両端の電圧が前記シャント装置の結合構成を決定するタイミングコンデンサと、
前記タイミングコンデンサに固定充電電流を供給するよう前記タイミングコンデンサに接続される固定電流源と、
前記タイミングコンデンサに接続される可変電流源であって、前記入力端子において供給される前記交流電力供給の前記検出される周波数に基づいて前記タイミングコンデンサを充電する速度を変えるように、前記検出される周波数に基づいて前記タイミングコンデンサに追加の充電電流を供給するよう適合される可変電流源とを有する請求項２に記載のインターフェース回路。
【請求項８】
前記追加の充電電流の大きさが、前記交流電力供給の前記周波数に比例し、且つ／又は前記制御装置が、前記所望の照明レベルに従って電圧しきい値を設定するよう適合される電圧しきい値要素を更に有し、
前記制御装置が、前記タイミングコンデンサにおける電圧が前記電圧しきい値に達するとき、前記シャント装置の減結合構成をトリガするよう適合される請求項７に記載のインターフェース回路。
【請求項９】
前記制御装置が、
前記入力端子に接続される可変入力インピーダンスと、
オン／オフコマンドに基づいて前記可変入力インピーダンスを制御するよう適合される入力制御装置とを有し、
前記検出装置が、前記オン／オフコマンドに基づいて前記検出される周波数を生成するよう適合され、
前記制御装置が、前記交流電力供給の半サイクルと同期して動作するよう前記シャント装置を制御するよう適合される請求項１乃至８のいずれか一項に記載のインターフェース回路。
【請求項１０】
前記可変入力インピーダンスが、
第１インピーダンスを持つ第１インピーダンス状態と、
前記第１インピーダンスよりも大きい第２インピーダンスを持つ第２インピーダンス状態との間で切り替えられるよう適合され、
前記入力制御装置が、オン／オフコマンドに基づいて前記第１インピーダンス状態と前記第２インピーダンス状態との間で前記可変入力インピーダンスを切り替えるように適合され、前記検出装置が、前記可変入力インピーダンスの切り替えと同期して前記検出される周波数を生成するよう適合される請求項８に記載のインターフェース回路。
【請求項１１】
前記可変入力インピーダンスが、少なくとも１つの可変静電容量を含み、
前記制御装置が、第１基準電圧と第２基準電圧との間の差に基づいて前記シャント装置の前記結合構成を制御するよう適合され、
前記インターフェース回路が、前記検出される周波数に基づいて、前記第１基準電圧及び前記第２基準電圧のうちの少なくとも一方を調整するよう適合される補償回路を更に有する請求項９に記載のインターフェース回路。
【請求項１２】
前記インターフェース回路が、前記交流電力供給の前記検出される周波数を出力するよう適合される制御コンデンサを更に有し、前記補償回路が、前記検出される周波数に応じて前記第１基準電圧を調整するよう適合される請求項１１に記載のインターフェース回路。
【請求項１３】
前記インターフェース回路が、前記交流電力供給によって交互に充電及び放電されるように接続されるコンデンサを更に有し、
前記制御装置が、前記コンデンサの両端の電圧に基づいて前記シャント装置の前記結合構成を制御するよう適合され、
前記コンデンサの充電フェーズ中、
前記コンデンサの両端の電圧が前記第１基準電圧未満である場合には、前記制御装置が、電流が前記入力端子から前記出力端子へ流れることができないような前記結合構成を構成するよう適合され、
前記コンデンサの両端の前記電圧が前記第１基準電圧以上である場合には、前記制御装置が、電流が前記入力端子から前記出力端子へ流れることができるような前記減結合構成を構成するよう適合され、
前記コンデンサの放電フェーズ中、
前記コンデンサの両端の前記電圧が前記第２基準電圧を超える場合には、前記制御装置が、電流が前記入力端子から前記出力端子へ流れることができないような前記結合構成を構成するよう適合され、
前記コンデンサの両端の前記電圧が前記第２基準電圧以下である場合には、前記制御装置が、電流が前記入力端子から前記出力端子へ流れることができるような前記減結合構成を構成するよう適合され、
前記補償回路が、前記交流電力供給の前記周波数の増加に応じての前記第１基準電圧の減少、及び／又は前記交流電力供給の前記周波数の増加に応じての前記第２基準電圧の増加のうちの少なくとも一方を実施するよう適合される請求項１１又は１２に記載のインターフェース回路。
【請求項１４】
前記インターフェース回路が、
前記照明装置の前記所望の照明レベルに対応する信号と、
前記照明装置を通過する電流に対応する第１フィードバック信号、及び
前記照明装置の両端の前記電圧に対応する第２フィードバック信号のうちの１つ以上との比較に基づいて、前記第２基準電圧を出力するよう適合される第２基準電圧発生器を更に有し、
前記比較器が、オン／オフコマンドに応じて前記第１フィードバック信号と前記第２フィードバック信号とを切り替えるよう適合され、
前記補償回路が、前記オン／オフコマンドに従って前記第１基準電圧を変更するよう適合される請求項１１乃至１３のいずれか一項に記載のインターフェース回路。
【請求項１５】
請求項１乃至１４のいずれか一項に記載のインターフェース回路と、前記照明装置としての１つ以上のＬＥＤとを有するＬＥＤランプ。